(57)【要約】【課題】オイルについて何等の予備知識を持たない一般のドライバーでも適正なオイルを簡易・迅速に購入できるオイル販売システムを提供する。【解決手段】入力部１１と、検索部１２と、表示部１３と、タイマー１４と、データベース１６と、処理制御部１５とを備えてなるエンジンオイル検索装置１０であって、データベース１６は、画面データ１７と、エンジンオイルデータファイル１８と、陳列棚データ１９とを有し、検索部１２は、入力画面データ１７ａに基づいて作成される入力画面３１からの入力に基づいてエンジンオイルデータファイル１８から推奨オイルを検索し、その検索結果は検索結果画面３３に表示される。【選択図】図５
2008171167.tif 000002
【特許請求の範囲】
【請求項１】
入力部と、検索部と、表示部と、タイマーと、データベースと、処理制御部とを備えてなるエンジンオイル検索装置であって、
前記データベースは、画面データと、エンジンオイルデータファイルと、陳列棚データとを有し、
前記画面データは、初期画面データと、入力画面データと、検索結果画面データとを含み、
前記検索部は、前記入力画面データに基づいて作成される入力画面からの入力に基づいて、エンジンオイルデータファイルから推奨オイルを検索し、
前記検索結果は、検索結果画面データに基づいて作成される検索結果画面に表示される
ことを特徴とするエンジンオイル検索装置。
【請求項２】
入力画面が、メーカ名を入力するメーカ名入力欄と、車名を入力する車名入力欄とを有してなることを特徴とする請求項１記載のエンジンオイル検索装置。
【請求項３】
検索結果画面が推奨オイル欄を有し、該推奨オイル欄が走行タイプごとに区分されてなることを特徴とする請求項１記載のエンジンオイル検索装置。
【請求項４】
推奨オイル欄がエンジン型式ごとに区分されてなることを特徴とする請求項３記載のエンジンオイル検索装置。
【請求項５】
検索結果画面が、陳列棚における推奨オイルの位置を指示するオイル缶位置指示図を有してなることを特徴とする請求項１記載のエンジンオイル検索装置。
【請求項６】
入力部と、検索部と、表示部と、出力部と、タイマーと、データベースと、処理制御部とを備えてなるエンジンオイル検索装置であって、
前記データベースは、画面データと、エンジンオイルデータファイルと、エンジンオイル購入券データとを有し、
前記画面データは、初期画面データと、入力画面データと、検索結果画面データとを含み、
前記検索部は、前記入力画面データに基づいて作成される入力画面からの入力に基づいて、エンジンオイルデータファイルから推奨オイルを検索し、
前記検索結果は、検索結果画面データに基づいて作成される検索結果画面に表示され、
前記出力部は、検索結果に基づいてオイル購入券を発券する
ことを特徴とするエンジンオイル検索装置。
【請求項７】
入力画面が、メーカ名を入力するメーカ名入力欄と、車名を入力する車名入力欄と、エンジン型式を入力するエンジン型式欄と、走行タイプを入力する走行タイプ入力欄とを有してなることを特徴とする請求項６記載のエンジンオイル検索装置。
【請求項８】
入力画面が、オイル交換の要／不要を確認できるようにされてなることを特徴とする請求項７記載のエンジンオイル検索装置。
【請求項９】
入力画面が、自動車登録番号または車両番号を入力する入力欄を有してなることを特徴とする請求項７記載のエンジンオイル検索装置。
【請求項１０】
検索結果画面が、推奨オイル名を表示する推奨オイル名表示欄と、容量を表示する容量表示欄と、価格を表示する価格欄とを有してなることを特徴とする請求項６記載のエンジンオイル検索装置。
【請求項１１】
検索結果画面が、オイル購入の有無を確認できるようにされてなることを特徴とする請求項１０記載のエンジンオイル検索装置。
【請求項１２】
オイル購入券にオイル購入カウンタの案内図が印刷されてなることを特徴とする請求項６記載のエンジンオイル検索装置。
【請求項１３】
オイル購入券に自動車登録番号または車両番号が印字されてなることを特徴とする請求項６記載のエンジンオイル検索装置。
【請求項１４】
エンジンオイル検索装置と、オイル購入カウンタ端末とを備えてなるシステムであって、
前記エンジンオイル検索装置による検索結果が、同エンジンオイル検索装置から通信により前記オイル購入カウンタ端末に送信されるようにされてなることを特徴するシステム。
【請求項１５】
エンジンオイル検索装置と、オイル購入カウンタ端末と、オイル交換部端末とを備えてなるシステムであって、
前記エンジンオイル検索装置による検索結果が、同エンジンオイル検索装置から通信により前記オイル購入カウンタ端末および／またはオイル交換部端末に送信されるようにされてなることを特徴するシステム。
【請求項１６】
オイル交換に関する情報が、エンジンオイル検索装置またはオイル購入カウンタ端末から通信によりオイル交換部端末に送信されるようにされてなることを特徴とする請求項１５記載のシステム。
【発明の詳細な説明】
【技術分野】
【０００１】
本発明はエンジンオイル検索装置およびそれを用いたシステムに関する。さらに詳しくは、エンジンオイルに関する知識のない一般のドライバーでも、最適なエンジンオイルを簡易・迅速に検索できるエンジンオイル検索装置およびそれを用いたシステムに関する。
【背景技術】
【０００２】
近年、石油資源の需要増大および石油資源の枯渇懸念から石油製品の価格、とりわけガソリンの価格が高騰している。そのため、ドライバーの間に燃費向上に対する関心が従来に増して高まってきている。この燃費向上には、適正なエンジンオイル（以下、単にオイルということもある）の選択が必須となる。
【０００３】
しかしながら、この適正なオイルの選択は、単に車種を特定するだけではなし得ず、走行タイプや使用される地域の気候をも考慮する必要がある。例えば、主に高速で長距離を走行するのか、主にスポーツ走行するのか、主に営業などで市街地を走行するのか、主にキスアンドライドや日常の買い物に使用するのかによって適正なオイルが異なってくる。また、寒冷地であるのか否かによっても適正なオイルが異なってくる。
【０００４】
その上、カーショップや量販店には、各種オイルメーカから提供される様々なオイルが陳列されている。
【０００５】
そのため、オイルについて何等の予備知識を持たない一般のドライバーが、カーショップや量販店で適正なオイルを簡易・迅速に選択して購入するのはほとんど不可能である。
【発明の開示】
【発明が解決しようとする課題】
【０００６】
本発明はかかる従来技術の課題に鑑みなされたものであって、オイルについて何等の予備知識を持たない一般のドライバーでも、適正なオイルを簡易・迅速に検索できるエンジンオイル検索装置を提供することを主たる目的とし、さらにそれを用いたシステムを提供することをも目的としている。
【課題を解決するための手段】
【０００７】
本発明の第１形態は、入力部と、検索部と、表示部と、タイマーと、データベースと、処理制御部とを備えてなるエンジンオイル検索装置であって、前記データベースは、画面データと、エンジンオイルデータファイルと、陳列棚データとを有し、前記画面データは、初期画面データと、入力画面データと、検索結果画面データとを含み、前記検索部は、前記入力画面データに基づいて作成される入力画面からの入力に基づいて、エンジンオイルデータファイルから推奨オイルを検索し、前記検索結果は、検索結果画面データに基づいて作成される検索結果画面に表示されることを特徴とするエンジンオイル検索装置に関する。
【０００８】
本発明の第１形態においては、入力画面が、メーカ名を入力するメーカ名入力欄と、車名を入力する車名入力欄とを有してなるのが好ましい。
【０００９】
また、本発明の第１形態においては、検索結果画面が推奨オイル欄を有し、該推奨オイル欄が走行タイプごとに区分されてなるのが好ましい。
【００１０】
さらに、本発明の第１形態においては、推奨オイル欄がエンジン型式ごとに区分されてなるのが好ましい。
【００１１】
さらに、本発明の第１形態においては、検索結果画面が、陳列棚における推奨オイルの位置を指示するオイル缶位置指示図を有してなるのが好ましい。
【００１２】
本発明の第２形態は、入力部と、検索部と、表示部と、出力部と、タイマーと、データベースと、処理制御部とを備えてなるエンジンオイル検索装置であって、前記データベースは、画面データと、エンジンオイルデータファイルと、エンジンオイル購入券データとを有し、前記画面データは、初期画面データと、入力画面データと、検索結果画面データとを含み、前記検索部は、前記入力画面データに基づいて作成される入力画面からの入力に基づいて、エンジンオイルデータファイルから推奨オイルを検索し、前記検索結果は、検索結果画面データに基づいて作成される検索結果画面に表示され、前記出力部は、検索結果に基づいてオイル購入券を発券することを特徴とするエンジンオイル検索装置に関する。
【００１３】
本発明の第２形態においては、入力画面が、メーカ名を入力するメーカ名入力欄と、車名を入力する車名入力欄と、エンジン型式を入力するエンジン型式欄と、走行タイプを入力する走行タイプ入力欄とを有してなるのが好ましい。
【００１４】
また、本発明の第２形態においては、入力画面が、オイル交換の要／不要を確認できるようにされてなるのが好ましい。
【００１５】
さらに、本発明の第２形態においては、入力画面が、自動車登録番号または車両番号を入力する入力欄を有してなるのが好ましい。
【００１６】
さらに、本発明の第２形態においては、検索結果画面が、推奨オイル名を表示する推奨オイル名表示欄と、容量を表示する容量表示欄と、価格を表示する価格欄とを有してなるのが好ましい。
【００１７】
さらに、本発明の第２形態においては、検索結果画面が、オイル購入の有無を確認できるようにされてなるのが好ましい。
【００１８】
さらに、本発明の第２形態においては、オイル購入券にオイル購入カウンタの案内図が印刷されてなるのが好ましい。
【００１９】
さらに、本発明の第２形態においては、オイル購入券に自動車登録番号または車両番号が印字されてなるのが好ましい。
【００２０】
本発明の第３形態は、エンジンオイル検索装置と、オイル購入カウンタ端末とを備えてなるシステムであって、前記エンジンオイル検索装置による検索結果が、エンジンオイル検索装置から通信によりオイル購入カウンタ端末に送信されるようにされてなることを特徴するシステムに関する。
【００２１】
本発明の第４形態は、エンジンオイル検索装置と、オイル購入カウンタ端末と、オイル交換部端末とを備えてなるシステムであって、前記エンジンオイル検索装置による検索結果が、エンジンオイル検索装置から通信によりオイル購入カウンタ端末および／またはオイル交換部端末に送信されるようにされてなることを特徴するシステムに関する。
【００２２】
本発明の第４形態においては、オイル交換に関する情報が、エンジンオイル検索装置またはオイル購入カウンタ端末から通信によりオイル交換部端末に送信されるようにされてなるのが好ましい。
【発明の効果】
【００２３】
本発明のエンジンオイル検索装置によれば、オイルについて何等の予備知識を持たない一般のドライバーでも、自分の走行タイプに適正なオイルを簡易・迅速に検索できるという優れた効果が得られる。
【００２４】
また、本発明の好ましい形態によれば、オイルについて何等の予備知識を持たない一般のドライバーでも、簡易・迅速に走行タイプに最適なオイルを購入できるという優れた効果が得られる。
【発明を実施するための最良の形態】
【００２５】
以下、添付図面を参照しながら本発明を実施形態に基づいて説明するが、本発明はかかる実施形態のみに限定されるものではない。
【００２６】
実施形態１
本発明の実施形態１に係るオイル検索装置（以下、単に検索装置という）を図１にブロック図で示す。
【００２７】
検索装置１０は、図１に示すように、入力部１１と、検索部１２と、表示部１３と、タイマー１４と、処理制御部１５と、データベース１６とを主要部として備えてなるものとされる。なお、検索装置１０は、具体的には、下記機能に対応させたソフトが組み込まれたパソコンとされる。
【００２８】
入力部１１は、例えばキーボード、マウス、タッチパネルなどとされる。この入力部１１における操作により、表示部１３に表示された入力画面（図４参照）の入力欄にメーカ名および車名が入力される。
【００２９】
検索部１２は、入力部１１から入力されるメーカ名および車名に基づいて、データベース１６から適正なオイル候補を検索するものとされる。
【００３０】
表示部１３は、例えば液晶パネルとされ、入力画面、検索結果画面などを表示するものとされる。なお、入力部１１がタッチパネルとされた場合には、入力部１１が表示部１３に一体化される。
【００３１】
タイマー１４は、表示画面を切り替えるための時間などをカウントするものとされる。
【００３２】
処理制御部１５は、検索装置１０における後述する各処理をなすとともに、前記各部１１，１２，１３，１４の制御をなすものとされる。
【００３３】
データベース１６は、図２に示すように、表示部１３に表示される画面に関するデータ（画面データ）１７、オイルデータファイル１８、および陳列棚における各オイル缶の位置に関するデータ（陳列棚データ）１９を含むものとされる。
【００３４】
画面データ１７には、初期画面を表示するための初期画面データ１７ａ、入力画面を表示するための入力画面データ１７ｂ、検索結果を表示するための検索結果画面データ１７ｃなどが含まれる。図３に初期画面データ１７ａに基づいて表示される初期画面３１の一例を示し、図４に入力画面データ１７ｂに基づいて表示される入力画面３２の一例を示し、図５に検索結果画面データ１７ｃに基づいて表示される検索結果画面３３の一例を示す。
【００３５】
また、図６にオイルデータファイル１８にファイルされるオイルデータシート１８ａの一例を示し、図７に陳列棚データ１９の一例を示す。
【００３６】
初期画面３１は、図３に示すように、検索装置１０をアピールするキャッチフレーズ（例えば「ようこそ、オイルワールドへ」）３１ａと、ガイド３１ｂと、検索開始ボタン３１ｃとを有するものとされる。
【００３７】
ガイド３１ｂには、検索装置１０の概要を説明する説明文が含まれるとともに、注意を引くように表示される「お手元に自動車検査証（車検証）をご準備ください。」という、車検証の準備を促す注意書が含まれている。この注意書をガイド３１ｂに含めるのは、同一の車名であっても原動機（エンジン）型式が異なることがあり、そしてエンジン型式が異なると適正なオイルも異なるからである。
【００３８】
なお、初期画面３１には、オイルメーカの広告が表示されるようにされてもよい。
【００３９】
入力画面３２は、図４に示すように、メーカ名を入力するメーカ名入力欄３２ａと、車名を入力する車名入力欄３２ｂと、入力確認ボタン３２ｄとを有するものとされる。なお、図示例においては、メーカ名および車名は、キーボードから入力するようにされているが、プルダウンメニューからマウスにより選択されて入力されるようにされてもよい。また、購入される地域の気候は自明であるので、気候条件の入力は不要とされている。ただし、気候条件を入力する気候条件入力欄が設けられてもよい。
【００４０】
検索結果画面３３は、図５に示すように、メーカ名および車名を表示するメーカ名・車名表示欄３３ａと、検索結果を表示する検索結果表示テーブル３３ｂと、検索結果についてのコメントを表示するコメント欄３３ｃと、検索されたオイルの陳列棚における位置を指示するオイル缶位置指示図表示部３３ｄと、表示画面を入力画面３２に戻す入力画面戻ボタン３３ｅとを有するものとされる。
【００４１】
検索結果表示テーブル３３ｂは、図示例においては、Ｖ５系やＶ６系などの型式を表示する型式欄と、エンジン型式を表示するエンジン型式欄と、２０００ｃｃや３０００ｃｃなどの排気量を表示する排気量欄と、推奨粘度を表示する推奨粘度欄と、純正対応油を表示する純正対応油欄と、走行タイプに適したオイルを推奨する推奨オイル欄と、オイル容量を表示するオイル容量欄とを含むものとされる。
【００４２】
推奨オイル欄は、図示例では、キスアンドライド走行や近所の買い物に利用するための走行に適したオイルを表示するキスアンドライド欄と、市街地における営業走行などの一般的な走行に適したオイルを表示する市街地走行欄と、スポーツ走行に適したオイルを表示するスポーツ走行欄とを含むものとされる。なお、推奨オイル欄は前記に限定されるものではなく、より多彩な走行タイプに分類されてもよい。例えば、前記推奨オイル欄に高速走行が付加されてもよい。
【００４３】
なお、コメント欄３３ｃに各走行タイプに関する説明が付加されてもよい。
【００４４】
この検索結果画面３３により、オイル購入者は、手元に用意した車検証に記載された原動機（エンジン）型式を参照しながら自己の走行にマッチしたオイルの選択がなし得るばかりでなく、同時にその必要量およびその配置場所を知ることができる。その結果、最適なオイルの必要量の購入が迅速になし得る。
【００４５】
オイルデータファイル１８は、図６に示すオイルデータシート１８ａをファイルしてなるものとされる。オイルデータシート１８ａは、具体的には、メーカ名を格納するメーカ名格納部１８ｂと、車名を格納する車名格納部１８ｃと、オイルデータテーブルを格納するオイルデータテーブル格納部１８ｄと、オイルデータテーブルに関するコメントを格納するコメント格納部１８ｅとを有し、そしてそれらを例えば階層形式にて格納してなるものとされる。
【００４６】
オイルデータテーブルは、検索結果表示テーブル３３ｂに対応させてなるものとされ、図示のように、Ｖ５系やＶ６系などの型式を表示する型式欄と、エンジン型式を表示するエンジン型式欄と、２０００ｃｃや３０００ｃｃなどの排気量を表示する排気量欄と、推奨粘度を表示する推奨粘度欄と、純正対応油を表示する純正対応油欄と、走行タイプに適したオイルを推奨する推奨オイル欄と、オイル容量を表示するオイル容量欄とを含むものとされる。
【００４７】
陳列棚データ１９は、図７に示すように、陳列棚における各オイル缶の配置位置（陳列棚の番地）がテーブル形式により格納されてなるものとされる。
【００４８】
次に、かかる構成とされた検索装置１０によるオイル検索について説明する。
【００４９】
手順１：オイル購入者により初期画面３１に表示されている検索開始ボタン３１ｃが例えばマウスによりクリックされる。
【００５０】
手順２：処理制御部１５は、検索開始ボタン３１ｃのクリックに応答して表示画面を初期画面３１から入力画面３２に切り替える。
【００５１】
手順３：オイル購入者により入力画面３２の各入力欄３２ａ，３２ｂに例えばキーボードにより入力がなされる。すなわち、メーカ名および車名がメーカ名入力欄３２ａおよび車名入力欄３２ｂにそれぞれ入力される。
【００５２】
手順４：オイル購入者により入力画面３２の入力確認ボタン３２ｄがクリックされる。
【００５３】
手順５：処理制御部１５は、入力確認ボタン３２ｄのクリックに応答して検索部１２に検索実行を指示する。
【００５４】
手順６：検索部１２は、検索実行の指示に応答して入力されたメーカ名および車名に基づいて、オイルデータファイル１８を検索し、指定されたメーカ名および車名に対応したオイルデータシート１８ａを抽出して検索を完了する。（なお、この検索中は、表示画面を検索中であることを表示するようにしてもよい。例えば、表示画面を「検索中ですので、しばらくお待ちください。」というようなメッセージを表示する待機画面に切り替えるようにしてもよい。）
手順７：検索部１２は、検索が完了すると検索結果を処理制御部１５に報告する。つまり、抽出したオイルデータシート１８ａを処理制御部１５に報告する。
【００５５】
手順８：処理制御部１５は、検索部１２の検索結果に基づいて、つまり抽出されたオイルデータシート１８ａに基づいて検索結果画面３３を調整する。
【００５６】
手順９：処理制御部１５は、検索結果画面３３を調整した後、表示画面を入力画面３２から検索結果画面３３に切り替える。なお、待機画面が表示されている場合には、待機画面から検索結果画面３３に切り替える。
【００５７】
手順１０：オイル購入者は、手元に用意した車検証の原動機（エンジン）型式を参照しながら、自己の走行パターンに適したオイルを表示されている推奨オイル欄から選択する。例えば、自己の走行パターンに適したオイルおよびその容量をメモする。
【００５８】
手順１１：所定時間内に入力画面戻ボタン３３ｅがクリックされない場合、処理制御部１５は、表示画面を検索結果画面３３から初期画面３１に復帰させて検索を終了させる。一方、入力画面戻ボタン３３ｅがクリックされた場合、処理制御部１５は、表示画面を入力画面３２に戻す。なお、入力画面３２に戻された場合、手順３以降が繰返される。
【００５９】
このように、この実施形態１によれば、車検証を手元に用意してメーカ名および車名を入力するという簡単な操作により、自己の走行パターンに最適なオイルおよびその必要量を知ることができる。また、検索結果画面３３には、オイル缶の位置も表示されているので、検索したオイルを迅速に購入できる。
【００６０】
実施形態２
本発明の実施形態２に係る検索装置を図８にブロック図で示す。実施形態２は、実施形態１を改変してなるものとされる。
【００６１】
以下、実施形態２の実施形態１と異なる点を中心に説明する。
【００６２】
検索装置２０は、図８に示すように、入力部２１と、検索部２２と、表示部２３と、出力部２４と、タイマー２５と、処理制御部２６と、データベース２７とを主要部として備えてなるものとされる。つまり、実施形態１の検索装置１０に出力部２４を付加するとともに、データベース２７の内容を改変してなるものとされる。
【００６３】
出力部２４は、例えばプリンタとされる。
【００６４】
データベース２７は、図９に示すように、画面データ４１、オイルデータファイル４２およびオイル購入券データ４３を含むものとされる。
【００６５】
画面データ４１には、初期画面データ４１ａ、入力画面データ４１ｂ、検索結果画面データ４１ｃなどが含まれる。図１０に入力画面データ４１ｂに基づいて表示される入力画面５１の一例を示し、図１１に検索結果画面データ４１ｃに基づいて表示される検索結果画面５２の一例を示す。
【００６６】
なお、初期画面データ４１ａは、実施形態１の初期画面データ１７ａと同様とされている。
【００６７】
入力画面５１は、図１０に示すように、メーカ名を入力するメーカ名入力欄５１ａと、車名を入力する車名入力欄５１ｂと、エンジン型式を入力するエンジン型式入力欄５１ｃと、フィルタ交換の要／不要を確認するフィルタ交換要／不要ボタン５１ｄと、フィルタ交換に関するコメントを記載するコメント欄５１ｅと、表示された走行タイプのメニューから選択して走行タイプを入力する走行タイプ入力欄５１ｆと、入力確認ボタン５１ｇとを有するものとされる。
【００６８】
なお、図示例においては、メーカ名および車名は、キーボードから入力するようにされているが、プルダウンメニューからマウスにより選択されて入力されるようにされてもよい。一方、エンジン型式は、メーカ名および車名が入力されると、エンジン型式に関するウインドウが自動的に開くようにし、そのウインドウに表示されたエンジン型式群から自己の車のエンジン型式を選択して入力されるようにされてもよい。また、購入される地域の気候は自明であるので、気候条件の入力は不要とされている。ただし、気候条件を入力する気候条件入力欄が設けられてもよい。さらに、走行タイプのメニューにおいては、各走行タイプの説明が付記されるようにされてもよい。
【００６９】
検索結果画面５２は、図１１に示すように、推奨オイル名を表示する推奨オイル名表示欄５２ａと、必要容量を表示する容量表示欄５２ｂと、その価格を表示する価格欄５２ｃと、オイル購入の有無を問うオイル購入ＹＥＳ／ＮＯボタン５２ｄとを有するものとされる。
【００７０】
図１２に、オイル購入ＹＥＳ／ＮＯボタン５２ｄの「ＹＥＳ」がクリックされた場合に表示される待機画面５３を示す。待機画面５３においては、図１２に示すように、オイル購入券を出力中である旨を示す「オイル購入券発券中」の表示がなされるようにされている。
【００７１】
図１３に、オイル購入ＹＥＳ／ＮＯボタン５２ｄの「ＮＯ」がクリックされた場合に表示される検索終了の有無を問う検索終了確認画面５４を示す。検索終了確認画面５４は、図１３に示すように、検索終了の有無を問う検索終了ＹＥＳ／ＮＯボタン５４ａを有するものとされる。この検索終了確認画面５４において、「ＹＥＳ」ボタンがクリックされると、所定時間経過後に初期画面に復帰するものとされる一方、「ＮＯ」ボタンがクリックされると、入力画面５１に復帰するものとされる。
【００７２】
オイルデータファイル４２は、図１４に示すオイルデータシート４２ａをファイルしてなるものとされる。オイルデータシート４２ａは、具体的には、メーカ名を格納するメーカ名格納部４２ｂと、車名を格納する車名格納部４２ｃと、オイルデータテーブルを格納するオイルデータテーブル格納部４２ｄと、オイルデータテーブルに関するコメントを格納するコメント格納部４２ｅと、オイル単価テーブル４２ｆとを有し、そしてそれらを例えば階層形式にて格納してなるものとされる。
【００７３】
オイルデータテーブルは、車名の各エンジン型式に対応した推奨オイルのデータをまとめてなるものとされ、図示のように、Ｖ５系やＶ６系などの型式を表示する型式欄と、エンジン型式を表示するエンジン型式欄と、２０００ｃｃや３０００ｃｃなどの排気量を表示する排気量欄と、推奨粘度を表示する推奨粘度欄と、純正対応油を表示する純正対応油欄と、走行タイプに適したオイルを推奨する推奨オイル欄と、オイル容量を表示するオイル容量欄とを含むものとされる。
【００７４】
図１５に、オイル購入券データ４３に基づいて発券されるオイル購入券５５の一例を示す。
【００７５】
オイル購入券５５は、図１５に示すように、推奨オイル名が印字されるオイル名印字欄５５ａと、その必要量が印字される容量欄５５ｂと、その価格が印字される価格欄５５ｃと、入力画面５１においてフィルタ交換要／不要欄５１ｄにおいて「要」がクリックされた場合にフィルタの交換の印字がなされるフィルタ交換欄５５ｄと、オイルとフィルタとの合計金額が印字される合計金額欄５５ｅと、オイルを購入するオイル購入カウンタの場所の案内図が印刷されるオイル購入カウンタ案内図欄５５ｆと、オイルの購入と同時にオイル交換をなす場合には工賃が無料になるという案内などが印刷されるコメント欄５５ｇとを有するものとされる。
【００７６】
次に、かかる構成とされた検索装置２０によるオイル検索について説明する。
【００７７】
手順１：オイル購入者により初期画面３１に表示されている検索開始ボタン３１ｃが例えばマウスによりクリックされる。
【００７８】
手順２：処理制御部２６は、検索開始ボタン３１ｃのクリックに応答して表示画面を初期画面３１から入力画面５１に切り替える。
【００７９】
手順３：オイル購入者により入力画面５１の各入力欄５１ａ，５１ｂ，５１ｃに例えばキーボードにより入力がなされる。すなわち、メーカ名、車名およびエンジン型式がメーカ名入力欄５１ａ、車名入力欄５１ｂおよびエンジン型式欄５１ｃにそれぞれ入力される。
【００８０】
手順４：オイル購入者により入力画面５１のフィルタ交換要／不要ボタン５１ｄがクリックされる。例えば、「要」のボタンがクリックされる。
【００８１】
手順５：オイル購入者により入力画面５１の走行タイプ入力欄５１ｆに、走行タイプのメニューに表示されている走行タイプ、例えばスポーツ走行がクリックされて走行タイプが入力される。
【００８２】
手順６：オイル購入者により入力画面５１の入力確認ボタン５１ｇがクリックされる。
【００８３】
手順７：処理制御部２６は、入力確認ボタン５１ｇのクリックに応答して検索部２２に検索実行を指示する。
【００８４】
手順８：検索部２２は、検索実行の指示に応答して入力されたメーカ名および車名に基づいて、オイルデータファイル４２を検索して指定されたメーカ名および車名に対応したオイルデータシート４２ａを抽出する。
【００８５】
手順９：検索部２２は、入力されたエンジン型式および走行パターンに基づいて、抽出したオイルデータシート４２ａのオイルデータテーブルから該当する推奨オイルを抽出する。
【００８６】
手順１０：検索部２２は、入力されたフィルタ交換に関するデータつまりフィルタを交換するか否かに基づいて、オイルの必要量つまり容量をオイルデータテーブルから抽出する。
【００８７】
手順１１：検索部２２は、抽出した推奨オイルの単価をオイル単価テーブル４２ｆから抽出して検索を完了する。
【００８８】
手順１２：検索部２２は、検索が完了すると検索結果を処理制御部２６に報告する。つまり、抽出した推奨オイル名、容量および単価を処理制御部２６に報告する。
【００８９】
手順１３：処理制御部２６は、検索部２２からの検索結果、つまり抽出された推奨オイル名、容量および単価ならびにフィルタ交換に関するデータに基づいて、オイル購入券作成のためのデータ（オイル購入券データ）を調整する。この調整の際に、容量および単価に基づいてオイルの金額および合計金額も算出される。
【００９０】
手順１４：処理制御部２６は、調整したオイル購入券データを出力部２４に出力するとともに、出力部２４にオイル購入券の発券を指示する。
【００９１】
手順１５：処理制御部２６は、表示画面をオイル購入券発券中であることを表示する待機画面５３に切り替える。
【００９２】
手順１６：出力部２４は処理制御部２６からのオイル購入券の発券指示に応答してオイル購入券データに基づいて、オイル購入券５５を発券する。つまり、オイル名印字欄５５ａにオイル名を印字し、容量欄５５ｂに容量を印字し、金額欄５５ｃにオイルの金額を印字し、フィルタ交換がなされる場合にフィルタ交換欄５５ｄにフィルタ交換を印字し、合計金額欄５５ｅに合計金額を印字する。なお、オイル購入カウンタ案内図およびコメントは予めオイル購入券５５に印刷されている。
【００９３】
手順１７：処理制御部２６は、出力部２４にオイル購入券の発券を指示してから所定時間経過後、例えば出力部２４によるオイル購入券の発券終了後、表示画面を待機画面５３から初期画面３１に復帰させて処理を終了する。
【００９４】
手順１８：オイル購入者は、オイル購入券に印刷されているオイル購入カウンタ案内図の指示されているオイル購入カウンタにオイル購入券を持参してオイル（およびフィルタ）を購入する。
【００９５】
このように、この実施形態２によれば、オイル購入券をオイル購入カウンタに持参することにより所望のオイルが購入できるので、重いオイル缶をレジなどの支払い場所まで持ち運ぶ必要がなくなりオイル購入者の負担が軽減されるという実施形態１では得られない効果も得られる。また、オイル購入券には、フィルタ交換の有無、つまりフィルタの購入に関する情報も記載されているので、フィルタの購入が必要な場合には、オイルの購入と同時にフィルタの購入もなし得、時間ロスがなくなる。
【００９６】
実施形態３
本発明の実施形態３に係るシステムを図１６にブロック図で示す。
【００９７】
システム１００は、図１６に示すように、検索装置１１０と、オイル購入カウンタ端末１２０と、オイル交換部端末１３０とを主要構成要素として備えてなるものとされる。
【００９８】
検索装置１１０は、図１７に示すように、入力部１１１と、検索部１１２と、表示部１１３と、出力部１１４と、通信部１１５と、タイマー１１６と、処理制御部１１７と、データベース１１８とを主要部として備えてなるものとされる。
【００９９】
入力部１１１、検索部１１２、表示部１１３、出力部１１４、タイマー１１６およびデータベース１１８は、実施形態２と同様とされている。また、処理制御部１１７も通信部１１５の制御をなす機能が付加されている他は、実施形態２と同様とされている。
【０１００】
通信部１１５は、有線または無線によりオイル購入カウンタ端末１２０の通信部１２４（図１８参照）との通信をなすものとされる。
【０１０１】
オイル購入カウンタ端末１２０は、図１８に示すように、入力部１２１と、表示部１２２と、出力部１２３と、通信部１２４と、処理制御部１２５と、データベース１２６とを主要部として備えてなるものとされる。
【０１０２】
入力部１２１は、例えばキーボード、マウス、タッチパネルなどとされる。
【０１０３】
表示部１２２は、例えば液晶パネルとされる。なお、入力部１２１がタッチパネルとされた場合には、入力部１２１が表示部１２２に一体化される。
【０１０４】
出力部１２３は、例えばプリンタとされる。
【０１０５】
通信部１２４は、有線または無線により検索装置１１０の通信部１１５およびオイル交換部端末１３０の通信部１３４（図１９参照）の通信をなすものとされる。
【０１０６】
処理制御部１２５は、オイル購入カウンタ端末１２０における後述する各処理をなすとともに、前記各部１２１，１２２，１２３，１２４の制御をなすものとされる。
【０１０７】
オイル交換部端末１３０は、図１９に示すように、入力部１３１と、表示部１３２と、出力部１３３と、通信部１３４と、処理制御部１３５と、データベース１３６とを主要部として備えてなるものとされる。
【０１０８】
入力部１３１は、例えばキーボード、マウス、タッチパネルなどとされる。
【０１０９】
表示部１３２は、例えば液晶パネルとされる。なお、入力部１２１がタッチパネルとされた場合には、入力部１３１が表示部１３２に一体化される。
【０１１０】
出力部１３３は、例えばプリンタとされる。
【０１１１】
通信部１３４は、有線または無線によりオイル購入カウンタ端末１２０の通信部１２４の通信をなすものとされる。
【０１１２】
システム１００は、前記の如く構成されているので、以下のような特徴を有している。
【０１１３】
特徴１：検索装置１１０により検索された結果を検索装置１１０の通信部１１５によりオイル購入カウンタ端末１２０の通信部１２４に送信することができる。それにより、オイル購入カウンタ端末１２０において事前に購入されるオイルに関する情報、例えばオイル名、容量、およびフィルタ購入の有無を知ることができ、オイル購入者がオイル購入カウンタに到達する前に、購入されるオイル缶（およびフィルタ）を準備しておくことができる。その結果、オイル購入者のオイル購入カウンタにおける待ち時間を短縮できる。
【０１１４】
特徴２：オイル購入者がオイル交換を希望する場合、交換するオイルに関する情報、例えばオイル名、容量、およびフィルタ交換の有無をオイル購入カウンタ端末１２０の通信部１２４からオイル交換部端末１３０の通信部１３４に送信することができる。それにより、オイル交換部においてオイル交換をなす車両がオイル交換部に到達する前に、交換するオイル（およびフィルタ）を準備しておくことができる。その結果、オイル交換に要する時間を短縮できる。
【０１１５】
以上、本発明を実施形態に基づいて説明してきたが、本発明はかかる実施形態のみに限定されるものではなく、種々改変が可能である。
【０１１６】
例えば、実施形態３ではオイル交換に関する情報は、オイル購入カウンタ端末１２０からオイル交換部端末１３０に送信されるようにされているが、検索装置１１０から直接送信されるようにされてもよい。
【０１１７】
また、入力画面において車両番号を入力するようにされるとともに、オイル購入券５５に自動車登録番号や車両番号が記載されるようにされてもよい。そうすることにより、オイル交換の際に自動車登録番号や車両番号によりオイル交換をする車両の特定がなし得る。
【産業上の利用可能性】
【０１１８】
本発明は、カーショップや量販店などにおけるオイル缶の販売に適用できる。
【図面の簡単な説明】
【０１１９】
【図１】本発明の実施形態１に係るオイル検索装置の概略図である。
【図２】同オイル検索装置のデータベースの概略図である。
【図３】同オイル検索装置における初期画面の一例の概略図である。
【図４】同オイル検索装置における入力画面の一例の概略図である。
【図５】同オイル検索装置における検索結果画面の一例の概略図である。
【図６】同オイル検索装置におけるオイルデータシートの一例を示す図である。
【図７】同オイル検索装置における陳列棚データの一例を示す図である。
【図８】本発明の実施形態２に係るオイル検索装置の概略図である。
【図９】同オイル検索装置のデータベースの概略図である。
【図１０】同オイル検索装置における入力画面の一例の概略図である。
【図１１】同オイル検索装置における検索結果画面の一例の概略図である。
【図１２】同オイル検索装置における待機画面の一例の概略図である。
【図１３】同オイル検索装置における検索終了確認画面の一例の概略図である。
【図１４】同オイル検索装置におけるオイルデータシートの一例を示す図である。
【図１５】オイル購入券の一例の概略図である。
【図１６】本発明の実施形態３に係るシステムのブロック図である。
【図１７】同システムのオイル検索装置の概略図である。
【図１８】同システムのオイル購入カウンタ端末の概略図である。
【図１９】同システムのオイル交換部端末の概略図である。
【符号の説明】
【０１２０】
１０，２０    オイル検索装置
１１，２１    入力部
１２，２２    検索部
１３，２３    表示部
１４，２５    タイマー
１５，２６    処理制御部
１６，４０    データベース
１７，４１    画面データ
１８，４２    オイルデータファイル
１９          陳列棚データ
２４          出力部
３１          初期画面
３２，５１    入力画面
３３，５２    検索結果画面
５５          オイル購入券
１００          システム
１１０          オイル検索装置
１２０          オイル購入カウンタ端末
１３０          オイル交換部端末
【図１】
2008171167.tif 000003
【図２】
2008171167.tif 000004
【図３】
2008171167.tif 000005
【図４】
2008171167.tif 000006
【図５】
2008171167.tif 000007
【図６】
2008171167.tif 000008
【図７】
2008171167.tif 000009
【図８】
2008171167.tif 000010
【図９】
2008171167.tif 000011
【図１０】
2008171167.tif 000012
【図１１】
2008171167.tif 000013
【図１２】
2008171167.tif 000014
【図１３】
2008171167.tif 000015
【図１４】
2008171167.tif 000016
【図１５】
2008171167.tif 000017
【図１６】
2008171167.tif 000018
【図１７】
2008171167.tif 000019
【図１８】
2008171167.tif 000020
【図１９】
2008171167.tif 000021